(57)【特許請求の範囲】
【請求項１】
建造物に含まれる水分を除去する水分除去システムであって、
設置面に複数の凸部を有し、そのそれぞれの凸部内に空気が密封された空気密封空間が断熱機能を有する断熱部として設けられ、被設置面である前記建造物の表面と前記複数の凸部を有する前記設置面とで形成された空間を、蒸気通路にさせるように構成された床部と、
前記蒸気通路内に吸気流を発生させて、前記被設置面である前記建造物の表面を通じて前記建造物に含まれる蒸気化した水分を外部へ排出する吸気部と、
を具備する水分除去装置と、
前記蒸気通路内に空気を取り入れる外気取入れ装置と、
を備え、
前記床部は、平面状の部材の少なくとも一方の面に複数の凸部を有すると共に、それぞれの前記凸部内に前記空気密封空間がある凸部材を少なくとも１つ有し、
少なくとも１つの前記凸部材は、複数の前記凸部の先端部が前記被設置面である前記建造物の表面に接するように設置され、
前記凸部および前記空気密封空間は、前記設置面と反対面側から人の体重に相当する力が加えられても、前記凸部および前記空気密封空間の形状が維持できるように構成されたことを特徴とする、
水分除去システム。
【請求項２】
建造物に含まれる水分を除去する水分除去装置であって、
設置面に複数の凸部を有し、そのそれぞれの凸部内に空気が密封された空気密封空間が断熱機能を有する断熱部として設けられ、被設置面である前記建造物の表面と前記複数の凸部を有する前記設置面とで形成された空間を、蒸気通路にさせるように構成された床部と、
前記蒸気通路内に吸気流を発生させて、前記被設置面である前記建造物の表面を通じて前記建造物に含まれる蒸気化した水分を外部へ排出する吸気部と、
を備え、
前記床部は、平面状の部材の少なくとも一方の面に複数の凸部を有すると共に、それぞれの前記凸部内に前記空気密封空間がある凸部材を少なくとも１つ有し、
少なくとも１つの前記凸部材は、複数の前記凸部の先端部が前記被設置面である前記建造物の表面に接するように設置され、
前記凸部および前記空気密封空間は、前記設置面と反対面側から人の体重に相当する力が加えられても、前記凸部および前記空気密封空間の形状が維持できるように構成されたことを特徴とする、水分除去装置。
【請求項３】
前記凸部材は、前記設置面と反対面側から人の体重に相当する力が加えられても、前記凸部および前記空気密封空間の形状が維持できる硬さを有することを特徴とする、
請求項２に記載の水分除去装置。
【請求項４】
前記床部は、複数の前記凸部材を積み重ねて層構造としたことを特徴とする請求項２または３に記載の水分除去装置。
【発明の詳細な説明】
【技術分野】
【０００１】
本発明は、建造物に含まれる水分（その水分を除去する際に発生する熱をも含む。）を除去する水分除去装置、及びその水分除去装置を用いた水分除去システムに関し、特に、断熱性能を向上させた水分除去装置、及びその水分除去装置を用いた水分除去システムに関する。なお、以下において本発明の水分除去装置、及び水分除去システムにおける除去対象としての建造物に含まれる水分には、その水分を除去する際に発生する熱をも含ものとして以下説明することとする。
【背景技術】
【０００２】
従来の建物の屋根は、建造物躯体上に設けられる断熱材からなる断熱層と、その断熱層上に設けられる防水シートからなる防水層とを備えた構成であった（例えば、特許文献１参照。）。このような屋根の問題点は、外気と建造物躯体上との温度差により防水層との間に結露が発生するおそれがある点である。この状態が進行すると、建造物躯体上と防水層との間に水分層が生じてしまう。そして、建造物躯体が経年劣化すると、建造物躯体のクラックから水分が侵入し、建造物内に雨漏り、カビ、結露を生じさせる。また、防水層自身も熱等を一因とした経年劣化によりクラックを生じ、そのクラック部分から水（例えば、雨水）が侵入してしまっている。この現象も上記と同様に建造物内に雨漏り、カビ、結露を生じさせる。
【０００３】
このような問題点を解決するため、本願出願人は、以前、水分除去装置を提案した（特許文献２参照。）。この水分除去システムは、建造物に含まれる水分を除去する水分除去システムであって、設置面に複数の凸部を有し、被設置面である上記建造物の表面と上記複数の凸部を有する設置面とで形成された空間を、蒸気通路にさせるように構成された床部と、上記蒸気通路内に吸気流を発生させて、上記被設置面である上記建造物の表面を通じて上記建造物に含まれる蒸気化した水分を外部へ排出する吸気部とを具備する水分除去装置と、上記蒸気通路内に空気を取り入れる外気取入れ装置とを備えた構成であった。これにより、建造物躯体上と防水層との間に水分層を除去することに成功した。
【０００４】
一方、省エネルギーの観点から、次世代省エネルギー基準が提唱されており、その次世代省エネルギー基準では、日本を極寒冷地域から温暖地域まで６段階に区域分けし、屋根または天井、壁、床について、それぞれ基準となる断熱材の厚さを規定している。例えば、温暖地域の宮崎・鹿児島でも５０ｍｍの断熱材の厚さが要求されており、断熱材の厚さは段々と厚いものが要求されてきている。
【先行技術文献】
【特許文献】
【０００５】
【特許文献１】特開２００２−２６６４７７号公報
【特許文献２】特開２０１２−１４０８０１号公報
【発明の概要】
【発明が解決しようとする課題】
【０００６】
しかしながら、上記次世代省エネルギー基準における断熱材は、例えば、硬質ウレタンフォーム断熱材のような一般的な断熱材を想定したものであるが、そのような断熱材は、熱（輻射熱も含む。以下においても適宜、熱には輻射熱も含むこととする。）、湿気が多い環境であると、アルカリ水分によって加水分解されて短期間で断熱性能が劣化する。上記水分除去装置が開示された特許文献１でも蒸気通路より上方において断熱材を用いる構成が開示されており、そのように配置された断熱材であっても上方からくる熱、湿気により劣化することが想定される。そして、上記水分除去装置は、蒸気通路より下方の建造物に含まれる水分を除去するものであって、蒸気通路よりも上方にある断熱材の水分を除去するものではない。
【０００７】
そこで、本発明は、熱、湿気が多い環境であっても断熱性能が劣化しない断熱材を用いた水分除去装置を提供することを目的とする。
【課題を解決するための手段】
【０００８】
本発明は、上記課題を解決するためになされたものであり、本発明の水分除去システムは、建造物に含まれる水分を除去する水分除去システムであって、設置面に複数の凸部を有し、そのそれぞれの凸部内に空気が密封された空気密封空間が断熱機能を有する断熱部として設けられ、被設置面である前記建造物の表面と前記複数の凸部を有する前記設置面とで形成された空間を、蒸気通路にさせるように構成された床部と、前記蒸気通路内に吸気流を発生させて、前記被設置面である前記建造物の表面を通じて前記建造物に含まれる蒸気化した水分を外部へ排出する吸気部と、を具備する水分除去装置と、前記蒸気通路内に空気を取り入れる外気取入れ装置と、を備え、前記床部は、平面状の部材の少なくとも一方の面に複数の凸部を有すると共に、それぞれの前記凸部内に前記空気密封空間がある凸部材を少なくとも１つ有し、少なくとも１つの前記凸部材は、複数の前記凸部の先端部が前記被設置面である前記建造物の表面に接するように設置され、前記凸部および前記空気密封空間は、前記設置面と反対面側から人の体重に相当する力が加えられても、前記凸部および前記空気密封空間の形状が維持できるように構成されたことを特徴とする。これにより、凸部材に蒸気通路を形成させると同時に、凸部材に空気密封空間を設けて高い断熱性能を持たせるという作用をもたらす。
【０００９】
また、本発明の水分除去装置は、建造物に含まれる水分を除去する水分除去装置であって、設置面に複数の凸部を有し、そのそれぞれの凸部内に空気が密封された空気密封空間が断熱機能を有する断熱部として設けられ、被設置面である前記建造物の表面と前記複数の凸部を有する前記設置面とで形成された空間を、蒸気通路にさせるように構成された床部と、前記蒸気通路内に吸気流を発生させて、前記被設置面である前記建造物の表面を通じて前記建造物に含まれる蒸気化した水分を外部へ排出する吸気部と、を備え、前記床部は、平面状の部材の少なくとも一方の面に複数の凸部を有すると共に、それぞれの前記凸部内に前記空気密封空間がある凸部材を少なくとも１つ有し、少なくとも１つの前記凸部材は、複数の前記凸部の先端部が前記被設置面である前記建造物の表面に接するように設置され、前記凸部および前記空気密封空間は、前記設置面と反対面側から人の体重に相当する力が加えられても、前記凸部および前記空気密封空間の形状が維持できるように構成されたことを特徴とする。これにより、凸部材に蒸気通路を形成させると同時に、凸部材に空気密封空間を設けて高い断熱性能を持たせるという作用をもたらす。
【００１０】
また、本発明の水分除去装置において、前記凸部材は、前記設置面と反対面側から人の体重に相当する力が加えられても、前記凸部および前記空気密封空間の形状が維持できる硬さを有することを特徴とする。また、本発明の水分除去装置において、上記凸部材は、上記複数の凸部がマトリクス状に配置されたことを特徴とする。
【００１１】
また、本発明の水分除去装置において、上記床部は、複数の上記凸部材を積み重ねて層構造としたことを特徴とする。これにより、例えば、硬質ウレタンフォーム断熱材のような一般的な断熱材を用いず、凸部材のみで断熱材を構成させることもできる。
【００１２】
また、本発明の水分除去装置において、上記吸気部は、上記蒸気通路と外部とを繋ぐ通路である蒸気排出通路部と、上記蒸気排出通路部中に設けられ、上記蒸気通路内に吸気流を発生させて、蒸気化した水分を吸気して外部に向かって排出するファンと、上記ファンを駆動させるファン駆動部と、を備えたことを特徴とする。また、本発明の水分除去装置において、上記ファン駆動部は、上記ファンを所定の回転数以下で駆動させることを特徴とする。また、本発明の水分除去装置において、上記ファン駆動部は、太陽電池と、電力を蓄電する蓄電部と、上記太陽電池で発生する電力により上記ファンを所定の回転数以下で駆動させるファン制御部とを備え、上記ファン制御部は、上記ファンの駆動において余剰分の電力を上記蓄電部に蓄電させ、上記ファンの駆動において不足分の電力を上記蓄電部に蓄電された電力から補充して上記ファンを駆動させることを特徴とする。
【発明の効果】
【００１３】
本発明によれば、水分除去装置を構成する凸部材に蒸気通路を形成させると同時に、高い断熱性能を持たせることができるという優れた効果を奏し得る。
【図面の簡単な説明】
【００１４】
【図１】本発明の実施の形態における水分除去装置１００を示す図である。
【図２】本発明の実施の形態における床部１０における凸部材１２の構造の一例を示す図である。
【図３】本発明における別の実施の形態である水分除去装置２００及び３００の断面図である。
【図４】本発明の実施の形態における水分除去システム４００及び５００を示す図である。
【図５】本発明の実施の形態における水分除去装置６００を住宅７００のベランダ７１０を示す図である。
【発明を実施するための形態】
【００１５】
次に本発明の実施の形態について図面を参照して詳細に説明する。
【００１６】
図１は、本発明の実施の形態における水分除去装置１００を示す図である。図１（ａ）は、水分除去装置１００の斜視図である。図１（ｂ）は、水分除去装置１００の断面図である。水分除去装置１００は、建造物３０に含まれる水分を蒸気化して除去するものであり、床部１０と、吸気部２０とを備える。
【００１７】
床部１０は、建造物３０の建物面３１（例えば、床）に設置するものであり、図１（ｂ）に示すように、複数の凸部１１を有する凸部材１２と、防水層部１３とを備える構成が一例として想定される。凸部材１２は、平面状の平面部材の一方の面（凸部材底面１５）に複数の凸部１１を設けた態様が一例として想定される。また、凸部１１は、例えば、平面部材上に概ねマトリクス状に配置されたものが一例として想定されるが、凸部１１の配置態様はこれに限るものではない。
【００１８】
そして、凸部材１２におけるそれぞれの凸部１１内には、空気が密封された空気密封空間１４がある。この空気密封空間１４が断熱材としての役割を果たす。なお、断熱性能を向上させるため、空気密封空間１４内部の空気が動かない空気となるように空気密封空間１４を形成させる。すなわち、空気密封空間１４は、空気の対流が生じにくい大きさ、形状にして断熱材としての機能を向上させることが想定される。本発明においては、床部１０における凸部材１２に断熱材としての機能があるため、従来の硬質ウレタンフォーム断熱材のような一般的な断熱材を用いなくてもよい場面が増えてくる。また、仮に断熱材をいれるにしても断熱材の厚さを薄くすることができ、施工を容易にし、コストの低減に資する。
【００１９】
また、凸部材１２を形成する材質として、例えば、ポリプロピレン等の樹脂が想定されるが、これに限るものではない。また、凸部材１２は、樹脂ではなく、金属・その他の硬質性防水材質により形成されていてもよい。すなわち、凸部材１２は、硬質性防水材質により形成されることが好ましい。従来の硬質ウレタンフォーム断熱材のような一般的な断熱材は、熱・湿気の多い場所ではその断熱性能が短期間で劣化するが、上記のような硬質性防水材質で形成される本発明の凸部材１２であれば、熱・湿気の多い場所であってもその断熱性能が短期間で劣化することはなく、長期間、断熱性能を維持することができる。
【００２０】
床部１０は、建造物３０の建物面３１の上に設置される。被設置面としての建物面３１には、床部１０の凸部材１２における凸部１１の面が設置される。床部１０を建物面３１に設置すると、床部１０の凸部１１が建物面３１と接し、凸部１１が設けられた凸部材底面１５と、建物面３１との間に空間が形成される。凸部材底面１５と建物面３１とにより形成される空間内は、建造物３０の内部における水分による蒸気により充填される。この空間を蒸気通路４０として蒸気は移動する。以上のように、床部１０を建物面３１に設置すると、建造物３０における被設置面である建物面３１と、凸部材底面１５とにより蒸気が移動するのに十分な広さを有する蒸気通路４０が形成される。
【００２１】
防水層部１３は、凸部材１２の他方の面（凸部材上面）に防水素材により形成された層部分である。防水層部１３は、例えば、凸部材１２の凸部材上面１６に塗膜防水処理を行うことにより形成させることが一例として想定される。塗膜防水処理として、例えばウレタン塗膜、又は水性アクリル塗膜による処理が一例として想定されるが、これに限るものではない。また、防水層部１３は、例えば、ＦＲＰ（Ｆｉｂｅｒ  Ｒｅｉｎｆｏｒｃｅｄ  Ｐｌａｓｔｉｃｓ）により形成されたシート状の部材により形成させるものであってもよい。
【００２２】
床部１０のその他の構造として、様々な態様が想定されるが、いずれにしても、本発明において床部１０は、建物面３１と接する面に突起形状の凸部１１が複数設けられ、建物面３１に設置すると建物面３１と凸部材底面１５との間に形成される空間を蒸気通路とする構成の全てを含むものである。床部１０における凸部材１２については図２においてさらに説明する。
【００２３】
以上のように、床部１０における凸部材１２は、建物面３１と伴に蒸気通路４０を形成すると同時に、熱・湿気を原因とする短期間の性能低下を招かない断熱材としての役割を果たすという優れた効果を奏する。
【００２４】
なお、床部１０が設置される建物面３１として、例えば、コンクリート製建造物の屋上や、住宅のベランダ（図５参照）等が一例として挙げられるが、これに限るものではなく、その他の場所であってもよい。
【００２５】
水分除去装置１００は、新築の建造物に設置する場合と、既存の建造物に設置する場合とがある。水分除去装置１００を新築の建造物に設置する場合、新築の建造物の下地面に直接床部１０を設置することが想定され、上記建造物３０の建物面３１は下地面となる。建造物３０の下地面に床部１０を設置することにより、本発明の水分除去装置１００を建造物３０の防水断熱構造として当初から組み込むことができる。
【００２６】
一方、既存の建造物に水分除去装置１００を設置する場合、既存の建造物の防水層の表面に直接床部１０を設置することが想定され、上記建造物３０の建物面３１は防水層の表面となることが想定される。通常、建造物には防水層が床表面に配置されていることが多いからである。しかしながら、防水層が床表面に配置されている場合、建造物３０に含まれる水分は建物面３１を通じて蒸気通路４０へ移動しにくい。この場合、防水層に穴を開ける等して、防水層よりもさらに下の層と蒸気通路４０とを連通させる通路である連通路３２を形成することが好ましい。どの層と蒸気通路４０とを連通させれば建造物３０の内部における水分を除去しやすいかは、建造物の構造によって変わってくるため、建造物の構造に基づいて決定する。
【００２７】
また、防水層が劣化等の理由によりクラックしている場合は、そのクラック部分が連通路３２としての役割を担い、そこから水分が蒸気として移動可能であるため、改めて連通路３２を形成させなくてもよい。なお、クラック部分のみでは連通路３２としての役割を担いきれない場合、改めて連通路３２を形成させてもよい。以上のようにすれば、除去したい建造物３０に含まれる水分を効率良く蒸気通路４０に移動させることができる。以上のように本発明によれば、新築の建造物、既存の建造物にいずれにも容易に設置することができる。
【００２８】
吸気部２０は、蒸気通路４０内に吸気流を発生させて、被設置面である建造物３０の表面等を通じて建造物３０に含まれる蒸気化した水分を外部へ排出するものである。吸気部２０は、例えば吸気部２０の下端部の外周縁２０ａにおいて床部１０と連結される。これにより、蒸気通路４０と、吸気部２０とが連通した状態になる。そして、吸気部２０は、例えば、蒸気排出通路部２１と、蒸気通路４０内に吸気流を発生させて蒸気を吸気して外部に向かって排出するファン２２と、ファン駆動部２３とを備える。
【００２９】
蒸気排出通路部２１は、ファン２２により吸気された蒸気を外部へ誘導する通路を備えたものである。蒸気排出通路部２１の一例として、図１（ａ）、図１（ｂ）に示すように、蒸気通路４０からファン２２により吸気された蒸気の通路である蒸気通路２１ａと、ファン２２により排出された蒸気の通路である蒸気通路２１ｂとにより構成されたものが一例として挙げられる。蒸気通路２１ａは、例えば筒状部材により構成することが一例として挙げられる。この場合、その筒状部材の上端部にファン２２を設け、筒状部材の下端部の外周縁２０ａを床部１０と連結させる。ファン２２が駆動すると、蒸気通路４０に存在する蒸気は、蒸気通路２１ａに相当する上記筒状部材の方向へ誘導され、その筒状部材の内部を通って筒状部材の外部へ排出される。
【００３０】
蒸気通路２１ｂは、例えば筒状部材により構成することが一例として挙げられる。蒸気通路２１ｂを構成する筒状部材は、一方の底面（上面）が閉じた筒状部材になっている。蒸気通路２１ｂを構成する筒状部材の径は、蒸気通路２１ａを構成する筒状部材の径より大きい。そして、蒸気通路２１ｂを構成する筒状部材は、図１（ａ）、図１（ｂ）に示すように、筒状部材の軸をほぼ同じくし、蒸気通路２１ａを構成する筒状部材の周囲を覆うような態様で設けられている。これにより、ファン２２から排出された蒸気は、蒸気通路２１ｂを構成する筒状部材により誘導されて、外部に排出される。
【００３１】
ファン駆動部２３は、ファン２２を駆動させるものであり、例えばファン制御部２３ａと、太陽電池２３ｂと、蓄電部２３ｃとを備える。ファン制御部２３ａは、太陽電池２３ｂにおいて生成された電力によりファン２２を駆動させる。この際におけるファン２２の駆動態様は様々な態様が挙げられる。
【００３２】
ファン２２の駆動態様の一つとして、ファン２２を所定の回転数以下で回転させる駆動態様が挙げられる。この場合、ファン制御部２３ａは、ファン２２に供給する電力を所定の電力以下にして、残りの電力を蓄電部２３ｃにおいて蓄電させる。なお、ファン２２に供給する最大の電力がファン２２の上記所定の回転数に相当することが想定される。
【００３３】
そして、太陽電池２３ｂにおいて生成される電力が天候の状態により所望の量に達しなくなった場合、ファン制御部２３ａは、蓄電部２３ｃに蓄電された電力をも用いてファン２２を駆動させる。なお、蓄電部２３ｃにおいて蓄電される電力は、太陽電池２３ｂにおいて生成された電力に限るものではなく、その他のもの（例えば、建造物３０に付設された電源装置）から供給された電力であってもよい。この場合、太陽電池２３ｂにおいて生成される電力がファン２２の駆動に十分な電力でなくとも、蓄電部２３ｃが電力不足を補うことになる。
【００３４】
ファン２２の駆動態様を上記のようにすれば、太陽電池２３ｂで生成された電力を効率よく使用することができる。また、ファン２２の回転数を所定回転数以下とするため、ファン２２の寿命をのばすことができる。さらに、天候の状態が悪い時でも、蓄電部２３ｃにより十分な電力をファン２２に供給することができる。
【００３５】
なお、ファン２２の駆動態様は上記以外の駆動態様であってもよい。また、上記において電力の供給元は太陽電池２３ｂ及び蓄電部２３ｃの２つあるが、いずれか一つであってもよく、そのような構成も本発明の範囲に含まれる。また、上記において電力の供給元は、上記太陽電池２３ｂ及び蓄電部２３ｃではなく、建造物３０に付設された電源装置・その他の電源装置であってもよく、そのような構成も本発明の範囲に含まれる。
【００３６】
図２は、本発明の実施の形態における床部１０における凸部材１２の構造の一例を示す図である。図２（ａ）は、凸部材１２の平面図である。凸部材１２の態様として、上記述べたように、例えば、平面状の部材の少なくとも一方の面に突起形状の凸部１１を複数設けた樹脂製の部材としての態様が一例として挙げられる。そして、凸部材１２における凸部１１は、概ね円錐形状又は円錐台形状とすることが一例として想定され、図２（ａ）においては円形状の部分が複数あるが、これら一つ一つが凸部１１に相当する。なお、凸部材１２における凸部１１の形状はその他の形状であってもよい。
【００３７】
凸部材１２における凸部１１は、図２（ａ）に示すように、例えば、概ねマトリクス状に配置させることが一例として挙げられるが、これに限るものではなく、その他の配置態様であってもよい。上記概ねマトリクス状に配置とは、縦横方向にランダムに配置されたマトリクス状に近い状態の配置をも含むものである。凸部材１２に面状の力（例えば、図２（ａ）の紙面に垂直方向、又は図２（ｂ）の矢印Ｃ方向から加わる人の体重）が加えられた場合に凸部１１が潰れないような強度を凸部材１２に持たせる必要がある。したがって、この配置の仕方は上記強度の観点から様々な態様が想定され、本発明においては様々な配置の全てをも含む。また、上記強度の観点においては凸部材１２を構成する材質についても考慮する。また、上記記強度の観点に加えて、例えば、蒸気を効率良く流せるかどうかの観点をも含めて配置を決めてもよい。
【００３８】
以上のように配置された凸部１１は蒸気通路４０の中では柱に相当する部分になる。そして、蒸気は、例えば、図２（ａ）に示す矢印に示すように、凸部１１間をすり抜けて吸気部２０が吸気する方向へ移動する。
【００３９】
図２（ｂ）は、図２（ａ）に示す凸部材１２における楕円領域ＢのＡ−Ａ断面図である。なお、図２（ｂ）において凸部材１２の底面側を凸部材１２の凸部材底面、凸部材１２の上側を凸部材１２の凸部材上面と呼ぶこととする。凸部材１２は、図２（ｂ）に示すように、凸部材１２の凸部材底面１５において突起しており、その突起した凸部１１の形状として、上記説明したように概ね円錐形状又は円錐台形状が一例として挙げられる。
【００４０】
また、凸部材１２は、図２（ｂ）に示すように、凸部材１２の凸部１１内部に空気密封空間１４を有している。空気密封空間１４内の空気は、高い熱抵抗を有するように、対流をしない動かない空気としての状態が好ましい。このため、空気密封空間１４は、凸部材上面１６から伝導される熱に対して高い断熱性能を有する断熱材としての役割を果たしている。なお、空気密封空間１４の形状は、例えば、空気の対流が生じない形状、又は空気の対流が生じにくい形状であれば、どのような形状であってもよい。空気密封空間１４内で空気の対流が生じなければ、熱抵抗が高くなるからである。
【００４１】
以上のように、従来の凸部を有する水分除去装置と異なり、凸部材１２は、建物内の余計な水分の通路を形成すると同時に、高い断熱性能を有する断熱材としての役割も果たす。しかも、既に説明したように、断熱材としての凸部材１２は、熱・湿気に強い断熱材であり、従来の硬質ウレタンフォーム断熱材のような一般的な断熱材の熱・湿気に弱いという欠点を克服するものである。
【００４２】
図３は、本発明における別の実施の形態である水分除去装置２００及び３００の断面図である。なお、以下において、符号は違っても図１及び図２において用いた名称と同様の名称のものは同様の機能を有するものであり、可能なかぎり図１及び図２において説明したことを適用することができる。
【００４３】
図３（ａ）は、水分除去装置２００における床部２１０の断面図である。床部２１０は、防水層部２１３と、凸部材２１２ａと、凸部材２１２ｂとが順に積み重なったものである。床部２１０は、床部１０に凸部材を１つ多く積み重ねたものである。図３（ａ）のように床部２１０を構成すれば、空気密封空間を有する凸部材が２層になるため、より断熱効果の高い床部を提供することができる。また、図３（ａ）のように床部２１０を構成すれば、凸部材により構成される空間が２つでき、蒸気通路が２層構造になる。この２層構造の蒸気通路間を連通させれば（例えば、２層間に連通路を設ける）、より十分な広さの蒸気通路を構成することができる。
【００４４】
以上のように、本発明の床部２１０を用いれば、建物内部の水分を除去する蒸気通路を形成させることができるのと同時に、従来の断熱材を用いなくても十分に断熱性能の高い床部を構成させることができる。特に、「次世代省エネルギー基準」によれば、その基準をクリアする断熱材の厚さは厚くなってきているところ、凸部材２１２ａ及び凸部材２１２ｂにより断熱材の厚さを薄くすることが期待される。また、本発明の床部２１０が従来の断熱材と違って熱・湿気に強い断熱材である点も本発明の床部２１０が優れた点である。
【００４５】
図３（ｂ）は、水分除去装置３００における床部３１０の断面図である。床部３１０は、防水層部３１３と、凸部材３１２ａと、断熱材３１７と、凸部材３１２ｂとが順に積み重なったものである。床部３１０は、床部２１０に断熱材３１７を１つ挿入したものである。図３（ｂ）のように床部３１０を構成すれば、床部２１０と同様に凸部材により構成される空間が２つでき、蒸気通路が２層構造になる。この２層構造の蒸気通路間を連通させれば（例えば、２層間に連通路を設ける）、より十分な広さの蒸気通路を構成することができる。また、空気密封空間を有する凸部材が２層になるため、床部２１０と同様により断熱効果の高い床部を提供することができる。また、床部３１０では、断熱材３１７があり、凸部材３１２ａ及び凸部材３１２ｂ以上の断熱性能が得られる。
【００４６】
なお、床部２１０及び床部３１０の構造は一例であって、例えば、防水層部と、３つ以上の凸部材を連続して積み重ねて層構造とした床部や、３つ以上の凸部材と、防水層部、断熱材等の別の部材とを任意の順番に積み重ねて層構造とした床部も本発明の範囲に含まれる。さらに、以上に準じて凸部材を用いた様々な組み合わせの床部も本発明の範囲に含まれる。これによれば、蒸気通路を３層以上の構造とした床部を形成させることができる。
【００４７】
図４は、本発明の実施の形態における水分除去システム４００及び５００を示す図である。図４（ａ）は、水分除去システム４００を示す図である。なお、図４（ａ）において矢印は、空気の流れを表すものである。水分除去システム４００は、水分除去装置４１０と、外気取入れ装置４２０とを備える。水分除去装置４１０は、図１乃至図３までで説明したものと同じものであり、既に説明済みであるため、その説明を省略する。外気取入れ装置４２０は、外部から空気を取り入れるものである。外気取入れ装置４２０は、図４（ａ）に示すように、蒸気排出通路部２１とほぼ同様の構造である。
【００４８】
すなわち、外気取入れ装置４２０は、水分除去装置４１０により生じた空気の流れにより、外部から空気を取り入れて床部４１１へ空気を誘導する通路を備えた構造をしている。外気取入れ装置４２０の一例として、図４（ａ）に示すように、外部から吸気された空気の通路である空気通路４２１ａと、蒸気通路４４０へ空気を誘導する通路である空気通路４２１ｂとにより構成されたものが挙げられる。
【００４９】
空気通路４２１ａ及び空気通路４２１ｂは、例えば筒状部材により構成することが一例として挙げられる。空気通路４２１ａを構成する筒状部材の径は、空気通路４２１ｂを構成する筒状部材の径より大きい。そして、空気通路４２１ａを構成する筒状部材は、図４（ａ）に示すように、筒状部材の軸を同じくし、空気通路４２１ｂを構成する筒状部材の周囲を覆うような態様で設けられる。空気通路４２１ｂを構成する筒状部材の下端部の外周縁を床部４１１と連結させる。
【００５０】
以上のように構成された水分除去システム４００の動作について以下説明する。水分除去装置４１０における（図示しない）ファンが回転することにより、図４（ａ）の矢印に示す空気の流れが、水分除去システム４００全体に生じる。すると、蒸気通路４４０中の蒸気は吸気部４１２に向かって移動して外部に排出される。また、この空気の流れにより外気取入れ装置４２０は外部から空気を取り入れ、蒸気通路４４０に空気を供給する。
【００５１】
また、水分除去システム４００による空気の流れは、建造物４３０の建物面内部４３１に含まれる水分を蒸気化させることを促進させる。このため、建造物４３０に含まれる水分の含水率を低下させることが容易にできる。本発明では、蒸気通路として十分な広さを確保できるため、容易に蒸気通路内に十分な空気の流れを作り出すことができる。このため、従来の水分除去システムよりも、水分除去を効率よく、短時間で行うことができる。
【００５２】
図４（ｂ）は、水分除去システム５００を示す図である。なお、図４（ｂ）において矢印は、空気の流れを表すものである。水分除去システム５００は、水分除去装置５１０と、外気取入れ装置５２０とを備える。水分除去装置５１０は、図１乃至図３までで説明したものと同じものであり、既に説明済みであるため、その説明を省略する。外気取入れ装置５２０も、外気取入れ装置５２０と同様で、外部から空気を取り入れるものである。外気取入れ装置５２０は、図４（ｂ）に示すように、建造物５３０の一部と、上下方向に伸びる床部５１１ａとを用いて構成されている。
【００５３】
すなわち、外気取入れ装置５２０は、建造物５３０の床の立ち上がり部５３１及び部材５２２で構成される空気通路５２１ａと、建造物５３０の床の立ち上がり部５３１及び床部５１１ａで構成される空気通路５２１ｂとにより構成されている。建造物５３０の床の立ち上がり部５３１と、部材５２２とで上面が閉じた筒状部材を形成しており、建造物５３０の床の立ち上がり部５３１と、上下方向に伸びる床部５１１ａとで筒状部材を形成している。そして、前者の筒状部材（空気通路５２１ａ）は後者の筒状部材（空気通路５２１ｂ）の周囲及び上面を覆うように配置されている。また、後者の筒状部材（空気通路５２１ｂ）は建造物５３０の床方向に伸びる床部５１１ｂと連結され、蒸気通路４０と連通した状態にある。これにより、外部から吸気された空気は、順に空気通路５２１ａ、空気通路５２１ｂを通って蒸気通路５４０に流れていく。そして、水分除去装置５１０により蒸気と伴に外部に排出される。
【００５４】
以上のように構成された水分除去システム５００の動作について以下説明する。水分除去装置５１０における（図示しない）ファンが回転することにより、図４（ｂ）の矢印に示す空気の流れが、水分除去システム５００全体に生じる。すると、蒸気通路５４０中の蒸気は吸気部５１２に向かって移動して外部に排出される。また、この空気の流れにより外気取入れ装置５２０は外部から空気を取り入れ、蒸気通路５４０に空気を供給する。
【００５５】
また、水分除去システム５００による空気の流れは、建造物５３０の床５３２に含まれる水分を蒸気化させることを促進させる。このため、建造物５３０に含まれる水分の含水率を低下させることが容易にできる。本発明では、蒸気通路として十分な広さを確保できるため、容易に蒸気通路内に十分な空気の流れを作り出すことができる。このため、従来の水分除去システムよりも、水分除去を効率よく、短時間で行うことができる。
【００５６】
なお、図４において建造物４３０及び５３０のおける床４３１及び５３２に、図１で説明した連通路を設ける態様も本発明に含まれる。連通路を設けるか否かは、建造物４３０及び５３０のおける床４３１及び５３２の状態や構造等によって決定される。
【００５７】
図５は、本発明の実施の形態における水分除去装置６００を住宅７００のベランダ７１０に取り付けた様子を示す図である。図５に示すように、ベランダ７１０の床７１１に床部６１０を敷く。そして、吸気部６２０の下端部を床部６１０と連結させる。なお、ベランダ７１０の床７１１に住宅７００の１階天井７２０と蒸気通路６４０とを連通させる連通路７１２を設けておくと、住宅７００内の湿気等の水分が床部６１０の蒸気通路６４０に流れ込みやすくなるため、連通路７１２を床７１１に設けるようにしてもよい。
【００５８】
また、水分除去装置６００において吸気部６２０における太陽電池６２１は、吸気部６２０の上面ではなく、太陽光を受光しやすいベランダ７１０の柵７１３に取り付けてある。また、水分除去装置６００において吸気部６２０における蓄電部６２２は、例えば住宅に設けられた家庭用電源７３０からも充電可能な態様にしてもよい。また、水分除去装置６００に対する電力の供給は、太陽電池６２１や蓄電部６２２の代わりに家庭用電源７３０に直接行わせるようにしてもよい。また、図４で説明した外気取入れ装置５２０及び６２０に相当するものを住宅７００にいずれかに設けてもよい。外気取入れ装置５２０及び６２０に相当するものは、住宅７００に適した構造のものでよい。
【００５９】
水分除去装置６００においては、さらに湿度センサ６３１を備えている。この湿度センサ６３１が所定の閾値湿度を検出すると、吸気部６２０における（図示しない）ファンが駆動し、住宅７００内の蒸気が蒸気通路６４０を通じて外部へ排出される。なお、図５において湿度センサ６３１は１階天井７２０に取り付けられているが、どの場所に取り付けるものであっても本発明に含まれる。また、湿度センサ６３１の代わりに、もしくは湿度センサ６３１に加えて（図示しない）温度センサを取り付けるようにしてもよい。温度センサの場合も同様に、温度センサが所定の閾値温度を検出した場合に（図示しない）ファンが駆動するようにする。このように構成すれば、吸気部６２０における（図示しない）ファンを常時駆動させなくとも、所望の室内環境を実現することができ、ファンの寿命の長期化や省電力化に資する。
【００６０】
以上図１乃至図５に基いて説明したように、本発明は、建物面と伴に凸部材に建物内部の水分の除去する通路である蒸気通路を形成させると同時に、凸部材に空気密封空間を形成させて動かない空気の層を設け、高い断熱性能を持たせた点が従来にない点である。さらに、水分除去装置を構成する凸部材は、硬質性防水材質により形成させるため、熱・湿気により短期間に断熱性能を低下させられることがない点も従来にない点である。
【００６１】
なお、本発明の実施の形態は本発明を具現化するための一例を示したものであり、これに限定されるものではなく本発明の要旨を逸脱しない範囲において種々の変形を施すことができる。
【符号の説明】
【００６２】
１０、２１０、３１０、４１１、５１１ａ、５１１ｂ、６１０  床部
１１    凸部
１２、２１２ａ、２１２ｂ、３１２ａ、３１２ｂ  凸部材
１３、２１３、３１３  防水層部
１４  空気密封空間
１５  凸部材底面
１６  凸部材上面
２０、４１２、５１２、６２０  吸気部
２０ａ  外周縁
２１    蒸気排出通路部
２１ａ、２１ｂ  蒸気通路
２２  ファン
２３  ファン駆動部
２３ａ  ファン制御部
２３ｂ、６２１  太陽電池
２３ｃ、６２２  蓄電部
３０、４３０、５３０  建造物
３１  建物面
３２、７１２  連通路
４０、４４０、５４０、６４０  蒸気通路
１００、２００、３００、４１０、５１０、６００  水分除去装置
３１７  断熱材
４００、５００  水分除去システム
４２０、５２０  外気取入れ装置
４２１ａ、４２１ｂ、５２１ａ、５２１ｂ  空気通路
４３１  建物面内部
４３１、５３２、７１１  床
５２２  部材
５３１  立ち上がり部
６３１  湿度センサ
７００  住宅
７１０  ベランダ
７１３  柵
７２０  １階天井
７３０  家庭用電源
【図１】
0006486616.tif 000002
【図２】
0006486616.tif 000003
【図３】
0006486616.tif 000004
【図４】
0006486616.tif 000005
【図５】
0006486616.tif 000006